(57)【特許請求の範囲】
【請求項１】
筒状をした胴部の両端部に鍔部を取付けたケーブル巻きドラムにおいて、軸心と平行な方向にボルト挿通部を有する筒状をした胴部の両端部に位置決め用突部を突設し、上記胴部の両端部の位置決め用突部のうち胴部の一端部の位置決め用突部を、胴部の一端部の端面より径方向の内側にずれた位置から胴部の軸方向の外側に向けて突出する軸方向外方突出部により構成し、軸方向外方突出部より軸方向の内側の胴部内周にリブ部を形成し、胴部の他端部の位置決め用突部を、胴部の他端部の端面より径方向の内側に突出した径方向内方突出部により構成し、径方向内方突出部より軸方向の内側の胴部内周にリブ部を形成し、鍔部にボルト挿入孔部を設け、鍔部の裏面部に位置決め用突部を溝底に当接して筒状の胴部の端部を浮かせた状態で胴部を回動することが可能な鍔部の真ん中を中心とした仮想円に沿った嵌め込み溝部を設け、嵌め込み溝部の一部に嵌め込み溝部よりも深さが深い第２の溝部を設け、嵌め込み溝部に胴部の端部をはめ込むと共に位置決め用突部を第２の溝部にはめ込んだ状態でボルト挿通部とボルト挿入孔部とを連通させ、両鍔部のボルト挿入孔部と胴部のボルト挿通部とを挿通したボルトにより両鍔部と胴部とを結合して成ることを特徴とするケーブル巻きドラム。
【請求項２】
胴部に設けた位置決め用突部部分にボルト挿通部が位置し、第２の溝部の溝底にボルト挿入孔部の端部が開口し、第２の溝部に位置決め用突部が嵌り込んだ状態でボルト挿通部とボルト挿入孔部とが連通することを特徴とする請求項１記載のケーブル巻きドラム。
【請求項３】
鍔部の表面側の嵌め込み溝部に対応する部位に表側凹所を設けて成ることを特徴とする請求項１又は請求項２記載のケーブル巻きドラム。
【発明の詳細な説明】
【０００１】
【発明の属する技術分野】
本発明は、ケーブル巻きドラムに関し、詳しくは鍔部と巻胴とを連結する技術に関するものである。
【０００２】
【従来の技術】
従来から、胴部の端部に鍔部を取付けてケーブル巻きドラムを構成するものが知られている。胴部の端部に鍔部を取付けるに当たっては、鍔部、胴部とも大きくて重量があって取扱難いので、まず、鍔部を裏面側が上となるように横にし、この鍔部の上に胴部を配置して鍔部に設けた胴部差し込み溝に胴部を嵌め込むとともに鍔部に設けたボルト挿入孔部と胴部に設けたボルト挿通部とが上下に対向するように位置合わせし、その後、別の鍔部を横にして胴部の上に載置して上記と同様にして鍔部に設けた胴部差し込み溝を胴部に嵌め込むとともに鍔部に設けたボルト挿入孔部と胴部に設けたボルト挿通部とが上下に対向するように位置合わせし、その後、上に位置する鍔部のボルト挿入孔部から胴部のボルト挿通部を経て下に位置する鍔部のボルト挿入孔部にボルトを通し、ボルトの先端部にナットを締め付けることで胴部の両端部に鍔部を取付けるようにしている。
【０００３】
ところが、上記のように、鍔部４を横にし、その上に胴部２を載せて位置合わせし、更に、胴部２の上に別の鍔部４を横にして載せて位置合わせする際、従来にあっては、図１９に示すように、胴部２の端部を差し込む差し込み溝部３０の内周部に放射状リブ３１を形成してあって、図２０に示すような内周部に軸方向に胴補強リブ１０を形成した胴部２の端部を差し込み溝部３０に嵌め込んだ際に放射状リブ３１間に胴部２の胴補強リブ１０が位置するようになっていて胴部２が鍔部４に対して嵌め込み状態では回動できず、したがってはじめから鍔部４に設けた胴部差し込み溝３０を胴部２に嵌め込むとともに鍔部４に設けたボルト挿入孔部５と胴部２に設けたボルト挿通部１とが上下に対向するように嵌め込まなければならず嵌め込み作業が非常に面倒となるという問題がある。
【０００４】
ここで、特に、鍔部４を横にした上に胴部２を載せて位置合わせする場合には位置合わせする部分のレベルが低すぎて作業者が位置合わせ部分を目で確認できず、大きくて重量のある胴部２を手で支持しながら位置合わせする作業がきわめて面倒な作業となるという問題がある。
【０００５】
また、上記胴部と鍔部とは搬送、保管に当たっては、結合せずに別々に積み重ねて搬送したり、保管したりし、現場で胴部と鍔部とを上記のように位置合わせして結合することでケーブル巻きドラムを構成するのであるが、搬送、保管の際に胴部同士を積み重ねた場合大きくて重量のある胴部が滑りやすくて危険なため、多段に段積みし難いという問題があった。
【０００６】
【発明が解決しようとする課題】
本発明は上記の点に鑑みてなされたものであり、胴部と鍔部とを結合するにあっての位置合わせが簡単且つ確実にでき、また、大きくて重量のある胴部を上下に安定して段積みすることができるケーブル巻きドラムを提供することを課題とするものである。
【０００７】
【課題を解決するための手段】
上記課題を解決するために本発明に係るケーブル巻きドラムは、筒状をした胴部２の両端部に鍔部４を取付けたケーブル巻きドラムＡにおいて、軸心と平行な方向にボルト挿通部１を有する筒状をした胴部２の両端部に位置決め用突部３を突設し、鍔部４にボルト挿入孔部５を設け、鍔部４の裏面部に位置決め用突部３を溝底に当接して筒状の胴部２の端部を浮かせた状態で胴部２を回動することが可能な鍔部４の真ん中を中心とした仮想円に沿った嵌め込み溝部６を設け、嵌め込み溝部６の一部に嵌め込み溝部６よりも深さが深い第２の溝部７を設け、嵌め込み溝部６に胴部２の端部をはめ込むと共に位置決め用突部３を第２の溝部７にはめ込んだ状態でボルト挿通部１とボルト挿入孔部５とを連通させ、両鍔部４のボルト挿入孔部５と胴部２のボルト挿通部１とを挿通したボルト８により両鍔部４と胴部２とを結合して成ることを特徴とするものである。このような構成とすることで、胴部２の端部に設けた位置決め用突部３を鍔部４の裏面に設けた嵌め込み溝部６に差し込んで位置決め用突部３を溝底に当接して胴部２の端部を浮かせた状態で、胴部２又は鍔部４を回動して、位置決め用突部３を嵌め込み溝部６に沿ってスライドさせて位置決め用突部３を嵌め込み溝部６の一部に形成した第２の溝部７に落とし込むことで、突部３を第２の溝部７に嵌め込むと共に胴部２の端部をはめ込み溝部６に嵌め込んで位置決めしてボルト挿通部１とボルト挿入孔部５とを連通させることができるものであり、これにより、胴部２と鍔部４とを簡単に位置決めしてボルト８により結合できることになる。また、上記胴部２の両端部の位置決め用突部３のうち胴部２の一端部の位置決め用突部３を、胴部２の一端部の端面より径方向の内側にずれた位置から胴部２の軸方向の外側に向けて突出する軸方向外方突出部３ａにより構成し、軸方向外方突出部３ａより軸方向の内側の胴部２内周にリブ部９を形成し、胴部２の他端部の位置決め用突部３を、胴部２の他端部の端面より径方向の内側に突出した径方向内方突出部３ｂにより構成し、径方向内方突出部３ｂより軸方向の内側の胴部２内周にリブ部９を形成したので、上記のように、位置決め用突部３を嵌め込み溝部６に嵌め込んだ状態で胴部２又は鍔部４を回動して位置決め用突部３を第２の溝部７に嵌め込んで位置決めするように構成したものでありながら、組み立て前に胴部２同士を複数段積みする際、ケーブル巻きドラムＡを分解した状態で、一方の胴部２の軸方向外方突出部３ａを他方の筒状の胴部２の内周部の位置決め用突部３（径方向内方突出部３ｂ又は軸方向外方突出部３ａ）が突出してない部分に嵌め込んで段積みでき、この結果、軸方向外方突出により胴部２同士が横にずれないように段積みすることが可能となる。
【０００８】
また、胴部２に設けた位置決め用突部３部分にボルト挿通部１が位置し、第２の溝部７の溝底にボルト挿入孔部５の端部が開口し、第２の溝部７に位置決め用突部３が嵌り込んだ状態でボルト挿通部１とボルト挿入孔部５とが連通することが好ましい。このような構成とすることで、胴部２と鍔部４とを位置決めしてボルト挿通部１とボルト挿入孔部５とを連通させる構成が簡単な構造でできるものである。
【０００９】
また、鍔部４の表面側の嵌め込み溝部６に対応する部位に表側凹所１７を設けているので、ケーブル巻きドラムＡ同士を積み重ねる場合、一方のケーブル巻きドラムＡのボルト８の先端部のナット２１を締結した部分やボルト８の頭部が他方のケーブル巻きドラムＡの鍔部４の表側凹所１７に嵌り込むことで積み重ねたケーブル巻きドラムＡのずれを防止することができるものである。
【００１０】
【発明の実施の形態】
以下、本発明を添付図面に示す実施形態に基づいて説明する。
【００１１】
ケーブル巻きドラムＡは図１に示すように、略筒状をした胴部２の両端部に鍔部４を取付けて構成してある。胴部２、鍔部４はポリプロピレンのような合成樹脂により形成してあり、それぞれ射出成形などにより成形され、各成形品を組み立ててボルト８により固定してある。
【００１２】
胴部２は図４乃至図６に示すように、筒状をしていて内周部の周方向の複数箇所に胴部２の軸方向と平行な方向のボルト挿通部１が形成してある。添付図面に示す実施形態においては一対のリブ部９を胴部２の内周部の周方向の複数箇所に胴部２の軸方向と平行な方向に形成してあり、一対のリブ部９間がボルト挿通部１となっている。また、胴部２の内周部の周方向の複数箇所に設けた対となったリブ部９間にはそれぞれ複数の胴補強リブ１０が一体に設けてあり、この胴補強リブ１０の端部は筒状をした胴部２の端部よりも少し内側に引き込んだ位置となっている。この胴補強リブ１０はリブ部９と平行となっている。
【００１３】
筒状の胴部２の両端部には位置決め用突部３が突設してあり、胴部２の一端部側に設けた位置決め用突部３が、胴部２の一端部の胴部２の端面よりも内方にずれた位置から胴部２の軸方向の外側に向けて突出する軸方向外方突出部３ａにより構成してあり、胴部２の他端部に設けた位置決め用突部３が、胴部２の端面より内側に突出した径方向内方突出部３ｂにより構成してあり、この径方向内方突出部３ｂは軸方向においては胴部２の端面よりも突出しないように構成してある。
【００１４】
図４乃至図６に示す実施形態においては、筒状の胴部２の内面に突出した上記リブ部９を胴部２の一端部から胴部２の軸方向の外側に向けて突出させて軸方向外方突出部３ａを設けて、この軸方向外方突出部３ａを胴部２の一端部側における位置決め用突部３としてある。そして、この軸方向外方突出部３ａは胴部２の端面よりも内方にずれた位置から胴部２の軸方向の外側に向けて突出している。また、筒状の胴部２の他端部側においては筒状の胴部２の内面に突出した上記リブ部９が径方向内方突出部３ｂとなっていてこれが筒部２の他端部側の位置決め用突部３となっている。この径方向内方突出部３ｂが軸方向においては胴部２の端面よりも突出しないように構成してあり、実施形態では径方向内方突出部３ｂと胴部２の端面とが面一となっている。
【００１５】
鍔部４は図２、図３に示すようなものであり、この鍔部４には図３に示すように、表面部に多数の鍔補強用リブ１１が突設してあり、鍔部４にかかる荷重が鍔補強用リブ１１により吸収されることで鍔部４の割れを防止するようになっている。また、図２に示すように、鍔部４の裏面部の鍔部４の半径方向の略中間部分には、鍔部４の真ん中を中心とする仮想円に沿って嵌め込み溝部６が設けてあり、嵌め込み溝部６の一部に嵌め込み溝部６に連通する第２の溝部７が連通形成してある。添付図面に示す実施形態においては第２の溝部７は鍔部４の真ん中を中心として９０°の開き角度で４個設けてある。
【００１６】
図１３に示すように、第２の溝部７は嵌め込み溝部６よりも溝深さが深くなっている。第２の溝部７部分にはボルト挿入孔部５が形成してあり、第２の溝部７の溝底にボルト挿入孔部５の端部が位置している。嵌め込み溝部６の溝底部６ａは軸方向外方突出部３ａ又は径方向内方突出部３ｂが当接してスライドできるスライド溝底部６ｂと、該スライド溝底部６ｂより一段低くてスライド溝底部６ｂに軸方向外方突出部３ａ又は径方向内方突出部３ｂが当接した状態では胴部２の端部が浮き上がって嵌り込まず且つ軸方向外方突出部３ａ又は径方向内方突出部３ｂが第２の溝部７に嵌り込んだ状態では胴部２の端部が嵌り込む胴部嵌め込み溝底部６ｃとで構成してある。
【００１７】
添付図面に示す実施形態においては、図１３（ｂ）に示すように、嵌め込み溝部６の径方向の両壁部１５のうち径方向の外側に位置する外側壁部１５ａに沿って溝底部６ａが一段低くなっていて胴部嵌め込み溝底部６ｃとなっており、溝底部６ａのうち胴部嵌め込み溝底部６ｃよりも径方向の内側の部分がスライド溝底部６ｂとなっている。ここで、胴部嵌め込み溝底部６ｃの幅は筒状をした胴部２の端部の肉厚とほぼ等しくなっている。また、スライド溝底部６ｂの溝幅は位置決め用突部３の径方向の長さ（つまり鍔補強用リブ１１の胴部２の内面からの径方向への突出長さ）とほぼ等しくなっている。
【００１８】
鍔部４の嵌め込み溝部６の径方向の両壁部１５のうちの鍔部４の内側（鍔部４の中心側）の壁部１５ｂはその先端が鍔部４の内面よりも少し突出していてずれ防止突片部１６となっている。また、鍔部４の表面側の嵌め込み溝部６に対応する部分には表側凹所１７が設けてあり、嵌め込み溝部６の溝底部６ａが鍔部４の表裏方向（厚み方向）の略中間部分に位置していて嵌め込み溝部６と表側凹所１７を表裏に仕切っている。表側凹所１７の径方向の両壁部１８のうち径方向の内側（鍔部４の中心側）に位置する壁部１８ａは上記ずれ防止突片部１６の肉厚分だけ径方向の内側（鍔部４の中心側）にずれて位置している。つまり、鍔部４同士を積み重ねた際に、図１８に示すように一方の鍔部４の裏面に他方の鍔部４の表面を重ねた場合、ずれ防止用突片部１６が表側凹所１７の壁部１８ａの内面に沿って表側凹所１７内に嵌め込まれて積み重ねた鍔部４同士がずれないようになっている。
【００１９】
なお、鍔部４には電線取り出し孔１９が設けてある。
【００２０】
しかして、ケーブル巻きドラムＡを組み立て形成するに当たっては、一方の鍔部４を裏面側が上となるように横にして組み立て用の支持枠や支持台などの上に載せ、この横にした一方の鍔部４の上に胴部２を軸方向が垂直となるように配置して胴部２の端部に突設した位置決め用突部３を嵌め込み溝部６に嵌め込む。この場合，胴部２の両端部の位置決め用突部３を構成する軸方向外方突出部３ａ又は径方向内方突出部３ｂのどちらが下となるようにして胴部２を配置してもよいが、好ましくは軸方向外方突出部３ａを下になるようにして胴部２を配置するのがよく、この方が位置決め用突部３を嵌め込み溝部６に嵌め込むんで位置合わせする場合における胴部２の落ち込み量が大きくて目で確認しにくい位置で行う位置決め用突部３を嵌め込み溝部６に嵌め込む作業がより容易に行える。
【００２１】
上記のようにして軸方向外方突出部３ａ又は径方向内方突出部３ｂを嵌め込み溝部６に嵌め込むと、図８又は図１１に示すように、軸方向外方突出部３ａ又は径方向内方突出部３ｂが嵌め込み溝部６の溝底部６ａのうちスライド溝底部６ｂに当接し、筒状の胴部２の端面は溝底部６ａが一段低くなった胴部嵌め込み溝底部６ｃから浮いた状態となっている。この状態で胴部２を回動して位置決め用突部３を嵌め込み溝部６内で周方向にスライドさせると、位置決め用突部３が嵌め込み溝部６の端部に至って第２の溝部７に落ち込んで嵌り込むと共に図１０又は図１２のように筒状の胴部２の端部が一段下がった嵌め込み溝底部６ｃ及び第２の溝部７に落ち込んで嵌り込み、また、この状態でボルト挿通部１とボルト挿入孔部５とが連通するものである。
【００２２】
このように一方の鍔部４の上に該鍔部４に対して胴部２を嵌め込んで位置決めし、その後、胴部２の反対側の端部の上に別の鍔部４を載置し、この場合、胴部２の他端部に突設した他方の位置決め用突部３（径方向内方突出部３ｂ又は軸方向外方突出部３ａ）に別の鍔部４の裏面の嵌め込み溝部６を嵌め込む。この場合、図１１又は図８に示すように径方向内方突出部３ｂ又は軸方向外方突出部３ａが嵌め込み溝部６の溝底部６ａのうちスライド溝底部６ｂに当接し、筒状の胴部２の端面は溝底部６ａが胴部嵌め込み溝底部６ｃから浮いた状態となっている。この状態で上に配置した別の鍔部４を回動して位置決め用突部３に対して嵌め込み溝部６をスライドさせると、嵌め込み溝部６の端部が位置決め用突部３位置に至って位置決め用突部３に第２の溝部７が嵌り込むと共に図１２又は図１０に示すように筒状の胴部２の端部が嵌め込み溝底部６ｃ及び第２の溝部７に落ち込んで嵌り込み、また、この状態でボルト挿通部１と別の鍔部４のボルト挿入孔部５とが連通するものである。このように胴部２の他端部に別の鍔部４を嵌め込んで位置決めする。
【００２３】
上記のように胴部２の両端部に鍔部４を嵌め込んで位置決めし、この状態で、上の鍔部４のボルト挿入孔部５からボルト８を挿入し、胴部２に設けたボルト挿通部１を通過させて下の鍔部４のボルト挿入孔部５に挿通し、ボルト８の先端部にナット２１を締結して胴部２の両端部に鍔部４を取付けてケーブル巻きドラムＡを組み立て形成するものである。
【００２４】
このように組み立て形成したケーブル巻きドラムＡには電力線あるいは情報線等の各種ケーブルを巻装するものである。
【００２５】
ところで、ケーブル巻きドラムＡの両側の鍔部４からボルト８の頭部及びボルト８の先端部のナット２１を締結した部分が外方に突出するが、上記ケーブル巻きドラムＡ同士を積み重ねる場合、図１４、図１５に示すように一方のケーブル巻きドラムＡのボルト８の先端部のナット２１を締結した部分が他方のケーブル巻きドラムＡの鍔部４の表側凹所１７に嵌り込み、また、他方のケーブル巻きドラムＡのボルト８の頭部が一方のケーブル巻きドラムＡの鍔部４の表側凹所１７に嵌り込むので、上下に隙間なくケーブル巻きドラムＡ同士を積み重ねることができるとともに、表側凹所１７にボルト８の頭部や先端部のナット２１締結部分が嵌り込むことで積み重ねたケーブル巻きドラムＡのずれを防止することができるものである。
【００２６】
一方、上記のようにケーブル巻きドラムＡを組み立て形成するまでは胴部２、鍔部４を別々にしてそれぞれ上下に積み重ねて搬送したり、保管したりすることでコンパクトに搬送したり保管したりするものであるが、本発明における胴部２同士を積み重ねる場合、筒状の胴部２の軸方向の端部上に別の筒状の胴部２の軸方向の端部を載置するようにして重ねるのであるが、図１６に示すように一方の胴部２の軸方向外方突出部３ａが他方の筒状の胴部２の内周部の位置決め用突部３（径方向内方突出部３ｂ又は軸方向外方突出部３ａ）が突出してない部分（実施形態においては位置決め用突部３及び胴補強リブ１０が突出してない部分）に嵌め込んで段積みできて、胴部２同士が横にずれないように段積みができるものである。この場合、図１７に示すように軸方向外方突出部３ａを構成する一対のリブ部９間に他の胴部２の胴補強リブ１０が嵌りこむようにすると、周方向のずれも防止できるものである。
【００２７】
また、鍔部４同士を積み重ねた場合、すでに述べたが、図１８に示すように、一方の鍔部４の裏面に他方の鍔部４の表面を重ねた場合、ずれ防止用突片部１６が表側凹所１７の壁部１８ａの内面に沿って表側凹所１７内に嵌め込まれて積み重ねた鍔部４同士がずれないようになっている。
【００２８】
【発明の効果】
上記のように本発明の請求項１記載の発明にあっては、軸心と平行な方向にボルト挿通部を有する筒状をした胴部の両端部に位置決め用突部を突設し、鍔部にボルト挿入孔部を設け、鍔部の裏面部に位置決め用突部を溝底に当接して筒状の胴部の端部を浮かせた状態で胴部を回動することが可能な鍔部の真ん中を中心とした仮想円に沿った嵌め込み溝部を設け、嵌め込み溝部の一部に嵌め込み溝部よりも深さが深い第２の溝部を設け、嵌め込み溝部に胴部の端部をはめ込むと共に位置決め用突部を第２の溝部にはめ込んだ状態でボルト挿通部とボルト挿入孔部とを連通させ、両鍔部のボルト挿入孔部と胴部のボルト挿通部とを挿通したボルトにより両鍔部と胴部とを結合してあるので、胴部の端部に設けた位置決め用突部を鍔部の裏面に設けた嵌め込み溝部に差し込んで位置決め用突部を溝底に当接して胴部の端部を浮かせた状態で、胴部又は鍔部を回動して、位置決め用突部を嵌め込み溝部に沿ってスライドさせて位置決め用突部を嵌め込み溝部の一部に形成した第２の溝部に落とし込むだけで、簡単に突部を第２の溝部に嵌め込むと共に胴部の端部をはめ込み溝部に嵌め込んで位置決めしてボルト挿通部とボルト挿入孔部とを連通させることができて、大きくて重量が重い鍔部と胴部との正確な位置決め組み立てが簡単に行えるものであって、組み立てがきわめて容易になるものである。また、胴部の両端部の位置決め用突部のうち胴部の一端部の位置決め用突部を、胴部の一端部の端面より径方向の内側にずれた位置から胴部の軸方向の外側に向けて突出する軸方向外方突出部により構成し、軸方向外方突出部より軸方向の内側の胴部内周にリブ部を形成し、胴部の他端部の位置決め用突部を、胴部の他端部の端面より径方向の内側に突出した径方向内方突出部により構成し、径方向内方突出部より軸方向の内側の胴部内周にリブ部を形成したので、上記のように、位置決め用突部を嵌め込み溝部に嵌め込んだ状態で胴部又は鍔部を回動して位置決め用突部を第２の溝部に嵌め込んで位置決めするように構成したものでありながら、組み立て前に胴部同士を複数段積みする際、ケーブル巻きドラムを分解した状態で、一方の胴部の軸方向外方突出部を他方の筒状の胴部の内周部の位置決め用突部（径方向内方突出部又は軸方向外方突出部）が突出してない部分に嵌め込んで段積みできて、この結果、軸方向外方突出により胴部同士が横にずれないように安定した段積みが可能となる。
【００２９】
また、請求項２記載の発明にあっては、上記請求項１記載の発明の効果に加えて、胴部に設けた位置決め用突部部分にボルト挿通部が位置し、第２の溝部の溝底にボルト挿入孔部の端部が開口し、第２の溝部に位置決め用突部が嵌り込んだ状態でボルト挿通部とボルト挿入孔部とが連通するので、胴部と鍔部とを位置決めしてボルト挿通部とボルト挿入孔部とを連通させる構成が簡単な構造でできて、胴部や鍔部の構成を簡略化できて金型コストを低下できるものである。
【００３０】
また、請求項３記載の発明にあっては、上記請求項１又は請求項２記載の発明の効果に加えて、鍔部の表面側の嵌め込み溝部に対応する部位に表側凹所を設けているので、ケーブル巻きドラム同士を積み重ねる場合、一方のケーブル巻きドラムのボルトの先端部のナットを締結した部分やボルトの頭部が他方のケーブル巻きドラムの鍔部の表側凹所に嵌り込むことで積み重ねたケーブル巻きドラムのずれを防止することができるものである。
【図面の簡単な説明】
【図１】本発明のケーブル巻きドラムを示す全体斜視図である。
【図２】同上に用いる鍔部の背面図である。
【図３】同上の鍔部の正面図である。
【図４】同上に用いる胴部の正面図である。
【図５】同上の胴部の一部破断した側面図である。
【図６】同上の胴部の斜視図である。
【図７】同上の鍔部に胴部の一端部を嵌合している途中の状態の断面図である。
【図８】（ａ）は同上の鍔部に胴部の一端部を嵌合している途中において胴部の一端部が浮いている状態を示す断面図であり、（ｂ）は同上の鍔部に胴部の一端部を嵌合している途中において軸方向外方突出部が嵌め込み溝部の溝底部のスライド溝底部に当接している状態の断面図である。
【図９】同上の鍔部に胴部の一端部を位置決めして嵌合完了となった状態の断面図である。
【図１０】（ａ）は同上の鍔部に胴部の一端部を位置決めした嵌合完了した状態において胴部の一端部が胴部嵌め込み溝底部に嵌り込んでいる状態を示す断面図であり、（ｂ）は同上のボルト挿通部とボルト挿入孔部とが連通している状態の断面図である。
【図１１】（ａ）は同上の鍔部に胴部の他端部を嵌合している途中において胴部の他端部が浮いている状態を示す断面図であり、（ｂ）は鍔部に胴部の他端部を嵌合している途中におけるボルト挿入孔部部分の断面図である。
【図１２】（ａ）は同上の鍔部に胴部の他端部を位置決めした嵌合完了した状態において胴部の他端部が胴部嵌め込み溝底部に嵌り込んでいる状態を示す断面図であり、（ｂ）は同上のボルト挿通部とボルト挿入孔部とが連通している状態の断面図である。
【図１３】（ａ）は同上の鍔部の第２の溝部の断面図であり、（ｂ）は嵌め込み溝部の断面図である。
【図１４】同上のケーブル巻きドラムを上下に積み重ねた状態の一部破断した側面図である。
【図１５】同上のケーブル巻きドラムを上下に積み重ねた状態の他の部分で破断した側面図である。
【図１６】同上の胴部を上下に積み重ねた状態の一部破断した側面図である。
【図１７】同上の胴部を上下に積み重ねた状態における軸方向外方突出部の位置を示す説明図である。
【図１８】（ａ）は鍔部同士を積み重ねる前の一部破断した分解側面図であり、（ｂ）は鍔部同士を積み重ねた状態の一部破断した側面図である。
【図１９】従来例の鍔部の裏面図である。
【図２０】（ａ）は従来の胴部の正面図であり、（ｂ）は従来の胴部の一部破断した側面図である。
【符号の説明】
Ａ  ケーブル巻きドラム
１  ボルト挿通部
２  胴部
３  位置決め用突部
３ａ  軸方向外方突出部
３ｂ  径方向内方突出部
４  鍔部
５  ボルト挿入孔部
６  嵌め込み溝部
６ａ  溝底部
６ｂ  スライド溝底部
６ｃ  胴部嵌め込み溝底部
７  第２の溝部
８  ボルト
【図１】
0004571280.tif 000002
【図２】
0004571280.tif 000003
【図３】
0004571280.tif 000004
【図４】
0004571280.tif 000005
【図５】
0004571280.tif 000006
【図６】
0004571280.tif 000007
【図７】
0004571280.tif 000008
【図８】
0004571280.tif 000009
【図９】
0004571280.tif 000010
【図１０】
0004571280.tif 000011
【図１１】
0004571280.tif 000012
【図１２】
0004571280.tif 000013
【図１３】
0004571280.tif 000014
【図１４】
0004571280.tif 000015
【図１５】
0004571280.tif 000016
【図１６】
0004571280.tif 000017
【図１７】
0004571280.tif 000018
【図１８】
0004571280.tif 000019
【図１９】
0004571280.tif 000020
【図２０】
0004571280.tif 000021